(57)【特許請求の範囲】
【請求項１】
集中化したドナーユニット（Donor Unit)グループと分散されている複数のリモートユニットグループとの間のネットワークを連結するアクセスネットワークのための光線路共有システムであって、
無線ドナーユニットグループから複数の無線光信号を受信し、有線ドナーユニットグループから複数の有線光信号を受信し、前記複数の無線光信号及び前記複数の有線光信号のうちの一部の信号をサミングして光サミング信号を生成し、サミングしていない残りの信号を互いに異なる波長に波長変換して波長変換された光信号を生成し、前記光サミング信号及び前記波長変換された光信号を波長単位で多重化して１つの光多重化信号を生成し、リング構造をもつ１つの共有光線路により連結された複数の分散装置に前記光多重化信号を分配する集中化装置と、
前記光多重化信号を波長単位で逆多重化して複数の光信号に分離し、分離された複数の光信号のうちの、前記集中化装置でサミングされた光サミング信号に対応する波長の光信号を分解して複数の光信号を生成し、残りの一部の光信号を波長変換して波長変換された光信号を生成し、生成された光信号と波長変換された光信号を予め設定された光線路を経由して対応する無線リモートユニットグループ及び有線リモートユニットグループにそれぞれ転送する複数の分散装置、
を含むことを特徴とする光線路共有システム。
【請求項２】
リング構造の共有光線路で相互連結された集中化装置と複数の分散装置で構成された光線路共有システムの集中化装置であって、
無線ドナーユニットグループから入力される複数の無線光信号のうちの一部と有線ドナーユニットグループから入力される複数の有線光信号のうちの一部を少なくとも２個ずつサミングし、サミングされた信号を波長変換して複数の光サミング信号を生成する転送率変換部と、
前記複数の無線光信号及び前記複数の有線光信号のうちの、サミングされていない残りの信号の波長を変換し、互いの波長が異なる複数の光波長変換信号を生成する波長変換部と、及び
前記複数の光サミング信号及び前記複数の光波長変換信号を波長単位で多重化して光多重化信号を生成し、リング構造をもつ共有光線路により連結された複数の分散装置に前記光多重化信号を分配する波長分割多重化部、
を含むことを特徴とする集中化装置。
【請求項３】
前記転送率変換部は、
前記無線ドナーユニットグループから入力される前記複数の無線光信号のうちの一部を少なくとも２個ずつサミングして１つ以上の光サミング無線信号を生成する第１の無線転送率変換部；及び
前記有線ドナーユニットグループから入力される前記複数の有線光信号のうちの一部を少なくとも２個ずつサミングして１つ以上の光サミング有線信号を生成する第１有線転送率変換部
を含むことを特徴とする請求項２に記載の集中化装置。
【請求項４】
前記波長分割多重化部は、
前記複数の光サミング信号及び前記複数の光波長変換信号のうちの一部を高密度波長単位で多重化して高密度波長多重された光信号を生成する高密度波長分割多重部と、
前記複数の光サミング信号及び前記複数の光波長変換信号のうちの高密度波長単位で多重化されていない残りの一部と、一旦、前記高密度波長多重化された光信号の一部を低密度波長単位で多重化し、前記共有光線路に分配される前記光多重化信号を生成する低密度波長分割多重化部、
を含むことを特徴とする請求項２に記載の集中化装置。
【請求項５】
前記波長変換部は、
前記複数の無線光信号の波長を変換し、互いに波長が異なる複数の光波長変換無線信号を出力する波長変換部と、
前記複数の有線光信号の波長を変換し、互いに波長が異なる複数の光波長変換有線信号を出力する電気−光変換部
を含むことを特徴とする請求項３に記載の集中化装置。
【請求項６】
リング構造の共有光線路で相互連結された集中化装置と複数の分散装置で構成された光線路共有システムの分散装置において、
前記共有光線路から１つ以上の光サミング信号と複数の光波長変換信号が波長単位で多重化された光多重化信号を受信し、前記光多重化信号を波長単位で逆多重化して前記１つ以上の光サミング信号及び前記複数の光波長変換信号に分離する波長分割多重化部；
前記波長分割多重化部に連結され、前記複数の光波長変換信号の波長を変換して無線リモートユニットグループ及び有線リモートユニットグループに転送するための複数の無線光信号及び複数の有線光信号を生成する波長変換部；及び
前記波長分割多重化部に連結され、前記光サミング信号を分解して複数の電気信号を生成し、分解された複数の電気信号を光信号に変換し、前記無線リモートユニットグループ及び前記有線リモートユニットグループに転送するための複数の無線光信号及び複数の有線光信号を生成する転送率変換部
を含むことを特徴とする分散装置。
【請求項７】
前記波長分割多重化部は、
前記光多重化信号を低密度波長単位で逆多重化し、低密度波長単位で互いが区別されている複数の光信号を生成する低密度波長分割多重化部；及び
前記低密度波長分割多重化部が生成した一部の光信号を高密度波長単位で逆多重化し、高密度波長単位で互いが区別される複数の光信号を生成する高密度波長分割多重化部
を含むことを特徴とする請求項６に記載の分散装置。
【請求項８】
集中化したドナーユニットグループと分散されている複数のリモートユニットグループとの間のアクセスネットワークを連結するための光線路共有方法において、
集中化装置において、無線ドナーユニット（Donor Unit）グループから複数の無線光信号を受信し、有線ドナーユニットグループから複数の有線光信号を受信し、前記複数の無線光信号及び前記複数の有線光信号のうちの一部信号をサミング（Summing）して光サミング信号を生成し、サミングしていない残りの信号を互いが異なる波長に波長変換して波長変換光信号を生成し、前記光サミング信号及び前記波長変換光信号を波長単位で多重化して１つの光多重化信号を生成し、１つの共有光線路により当該集中化装置とリング構造で相互連結された複数の分散装置に前記光多重化信号を分配する過程；及び
分散装置において、前記光多重化信号を波長単位で逆多重化して複数の光信号に分離し、分離された複数の光信号のうち、前記集中化装置でサミングされた光サミング信号に対応する波長の光信号を分解して複数の光信号を生成し、残りの一部の光信号を波長変換して波長変換された光信号を生成し、生成された光信号及び波長変換された光信号を予め設定され光線路を経由して対応する無線リモートユニット（Remote Unit）グループ及び有線リモートユニットグループにそれぞれ転送する過程を含むことを特徴とするアクセスネットワークのための光線路共有方法。
【請求項９】
前記集中化装置において、サミングされる信号は、転送率の低い信号であり、サミングされていない信号は、転送率の高い信号であることを特徴とする、請求項１に記載の光線路共有システム。
【請求項１０】
前記波長分割多重化部において、サミングされる信号は、転送率の低い信号であり、サミングされていない信号は、転送率の高い信号であることを特徴とする、請求項２に記載の集中化装置。
【請求項１１】
前記集中化装置において、サミングされる信号は、転送率の低い信号であり、サミングされていない信号は、転送率の高い信号であることを特徴とする、請求項８に記載の光線路共有方法。
【発明の詳細な説明】
【技術分野】
【０００１】
本発明の一実施形態は、クラウド基盤有線無線アクセスネットワークのための光線路（Optical Fiber）共有方法とそのためのシステム及び装置に関し、より詳しくは、クラウド基盤有無線アクセスネットワークを構築するために集中化装置と分散装置グループの間に相互連結された光線路を共有する方法であって、集中化装置において、多チャンネルの無線通信用信号または多チャンネルの有線通信用信号をサミング（Summing）した信号、及び多チャンネルの無線通信用信号または多チャンネルの有線通信用信号を波長変換した信号、及び多チャンネルの無線通信用信号または多チャンネルの有線通信用信号を電気−光変換して分散装置グループに転送し、分散装置グループ内に含まれる各装置にサミング信号または波長変換された信号または電気−光変換された信号が割り当てられるようにし、逆方向では分散装置グループにおいて、多チャンネルの無線通信用信号または多チャンネルの有線通信用信号をサミング（Summing）した信号または多チャンネルの無線通信用信号または多チャンネルの有線通信用信号を波長変換した信号、または多チャンネルの無線通信用信号、または多チャンネルの有線通信用信号を電気−光変換して集中化装置に転送する、クラウド基盤有無線アクセスネットワークのための光線路共有方法とそのためのシステム及び装置に関する。
【背景技術】
【０００２】
この部分に記述された内容は単純に本発明の実施形態に対する背景情報を提供するだけであり、従来技術を構成するものではない。
【０００３】
最近、コンピュータ、電子、通信技術が飛躍的に発展するにつれて、ネットワークを用いた多様な通信サービスが提供されている。したがって、有線通信と無線通信サービスは音声サービスだけでなく、サーキット（Circuit）データ、パケット（Packet）データなどのようなデータを送信するマルチメディア通信サービスに発展しつつある趨勢である。
【０００４】
一方、最近、データトラフィックが急増しており、今後もデータトラフィックがより増加することと予想される。このように増加するデータトラフィックによるトラフィック負荷を軽減するために、上位グループと下位グループとにネットワークを分離して上位グループを集中化し、下位グループをサービスが必要な地域に分散配置する努力があった。言い換えると、集中化した資源を効率的に運営するクラウド基盤有線無線アクセスネットワーク技術が開発された。このようなクラウド基盤有無線アクセスネットワーク技術を適用するには、集中化装置グループと分散装置グループとの間の連結が必須である。ところで、集中化装置グループと分散装置グループとの間の連結はあまりに多くの光線路を必要とするので費用が高くなる問題がある。
【発明の概要】
【発明が解決しようとする課題】
【０００５】
前述した問題点を解決するために本発明の一実施形態は、集中化した有無線ドナーユニットグループと分散されている有線無線リモートユニットグループとを連結しようとするクラウド基盤有無線アクセスネットワークを最小光線路で構築するための光線路共有方法とそのためのシステム及び装置を提供することを主な目的とする。
【課題を解決するための手段】
【０００６】
前述した目的を達成するために本実施形態の一態様によれば、無線ドナーユニット（Donor Unit）グループから入力される多チャンネルの光信号と有線ドナーユニットグループから入力される多チャンネル有線信号を各々サミング（Summing）してサミング信号を生成するか、上記光信号または上記多チャンネル有線信号を波長変換した波長変換信号を生成し、上記サミング信号及び上記波長変換信号を波長別に多重化し、共有光線路により相互連結された複数個の装置に上記サミング信号及び上記波長変換信号を分配する集中化装置、及び上記サミング信号または上記波長変換信号を波長別に逆多重化した光信号を生成し、上記光信号または上記多チャンネル有線信号を予め設定された光線路を経由して無線リモートユニット（Remote Unit）グループ及び有線リモートユニットグループに転送する分散装置グループを含むことを特徴とする、クラウド基盤有線無線アクセスネットワークのための光線路共有システムを提供する。
【０００７】
また、本実施形態の他の態様によれば、無線ドナーユニットグループから入力される多チャンネルの光信号と有線ドナーユニットグループから入力される多チャンネル有線信号の転送速度に対応する転送率を決定し、上記転送率に基づいて上記光信号及び上記多チャンネル有線信号を各々サミングしたサミング信号を生成する第１転送率変換部、及び上記サミング信号を波長別に分離するか、または分離された波長単位の上記サミング信号を多重化し、共有光線路により相互連結された分散装置に上記サミング信号が分配されるように制御して、上記分散装置をして上記サミング信号を用いた信号処理が遂行されるようにする第１波長分割多重化部を含むことを特徴とする、集中化装置を提供する。
【０００８】
また、本実施形態の他の態様によれば、共有光線路により相互連結された集中化装置からサミング信号を受信し、上記サミング信号を波長単位で逆多重化する第２波長分割多重化部、及び上記サミング信号を光信号に変換し、上記光信号を転送率によって予め設定された光線路を経由して無線リモートユニットグループ及び有線リモートユニットグループのうち、少なくとも１つ以上のグループに転送する第２転送率変換部を含むことを特徴とする、分散装置を提供する。
【０００９】
また、本実施形態の他の態様によれば、集中化装置における無線ドナーユニットグループから入力される多チャンネルの光信号と有線ドナーユニットグループから入力される有線信号を各々サミング（Summing）してサミング信号を生成するか、上記光信号または上記多チャンネル有線信号を波長変換した波長変換信号を生成し、上記サミング信号及び上記波長変換信号を波長単位で多重化し、共有光線路により相互連結された複数個の装置に上記サミング信号及び上記波長変換信号を分配する過程、及び分散装置で受信された上記サミング信号または上記波長変換信号を波長単位で逆多重化した光信号を生成し、上記光信号または上記多チャンネル有線信号を予め設定された光線路を経由して無線リモートユニットグループ及び有線リモートユニットグループに転送する過程を含むことを特徴とする、クラウド基盤有無線アクセスネットワークのための光線路共有方法を提供する。
【発明の効果】
【００１０】
以上、説明したように、本実施形態によれば、クラウドサービスのための集中化装置と分散装置グループとの間に相互連結された共有光線路を用いて、集中化装置における多チャンネルの無線通信用信号または有線通信用信号をサミングした信号、及び多チャンネルの無線通信用信号または有線通信用信号を波長変換した信号、及び多チャンネルの無線通信用信号または有線通信用信号を電気−光変換して分散装置グループに転送して、分散装置グループ内に含まれる各装置にサミング信号または波長変換された信号または電気−光変換された信号が割り当てられるようにする効果がある。
【００１１】
また、本実施形態によれば、集中化装置と分散装置グループとの間に共有光線路を用いた多重化した信号を送受信するようになるので、速い転送速度を確保することができる効果がある。
【００１２】
また、本発明の一実施形態によれば、分散装置グループ内に含まれた分散装置の間のトラフィック不均衡現象に対して多様に対処管理できる効果があるだけでなく、光線路異常発生時にもサービスできる効果がある。
【図面の簡単な説明】
【００１３】
【図１】本実施形態に従うクラウド基盤有無線アクセスネットワークのための光線路共有システムを概略的に示すブロック構成図である。
【図２】本実施形態に従う光線路共有装置を概略的に示すブロック構成図である。
【図３】本実施形態に従う集中化装置を概略的に示すブロック構成図である。
【図４】本実施形態に従う分散装置を概略的に示すブロック構成図である。
【図５】本実施形態に従う第１波長分割多重化部を示すブロック構成図である。
【図６】本実施形態に従う第２波長分割多重化部を示すブロック構成図である。
【図７】本実施形態に従う波長変換部を概略的に示すブロック構成図である。
【図８】本実施形態に従う電気−光変換部を概略的に示すブロック構成図である。
【図９】本実施形態に従う無線転送率変換部を概略的に示すブロック構成図である。
【図１０】本実施形態に従う有線転送率変換部を概略的に示すブロック構成図である。
【図１１】本実施形態に従う無線光線路共有方法を説明するためのフローチャートである。
【図１２】本実施形態に従う有線光線路共有方法を説明するためのフローチャートである。
【発明を実施するための形態】
【００１４】
以下、本発明に従う一実施形態を添付した図面を参照して詳細に説明する。
【００１５】
本実施形態に記載された第１無線サミング信号、第１有線サミング信号、第２サミング信号、第２'サミング信号、第３サミング信号、第３'サミング信号、第４無線サミング信号、及び第４有線サミング信号に対して次の通り定義する。第１無線サミング信号は集中化装置２１０の第１無線転送率変換部３２０でサミング（Summing）した信号であり、第１有線サミング信号は集中化装置２１０の第１有線転送率変換部３５０でサミングした信号であり、第２サミング信号は集中化装置２１０の第１高密度波長分割多重化部５２０から第１低密度波長分割多重化部５１０に伝達される多重化した信号であり、第２'サミング信号は集中化装置２１０の第１低密度波長分割多重化部５１０で多重化した信号であり、第３サミング信号は分散装置２２０の第２低密度波長分割多重化部６１０から第２高密度波長分割多重化部６２０に伝達される逆多重化した信号であり、第３'サミング信号は共有光線路で光スイッチにより選択された第２'サミング信号であり、第４無線サミング信号及び第４有線サミング信号は分散装置２２０の第２波長分割多重化部６２０で逆多重化した信号のうち、分散装置２２０の第２無線転送率変換部４３０と第２有線転送率変換部４５０に伝達される信号をいう。
【００１６】
また、本実施形態に記載された第１無線光信号、第２無線光信号、第３無線光信号、及び第４無線光信号に対して次の通り定義する。第１無線光信号は、無線ドナーユニット（Donor Unit）グループ１１０と光線路共有装置１２０との間に転送される光信号をいう。第２無線光信号は、光線路共有装置１２０と無線リモートユニット（Remote Unit）グループ１３０との間に転送される光信号をいう。第３無線光信号は、集中化装置２１０の第１波長変換部３１０で第１無線光信号が波長変換された信号をいう。第４無線光信号は、分散装置２２０の第２低密度波長分割多重化部６１０が受信した光信号を波長変換した信号をいう。
【００１７】
一方、本実施形態に記載された第１有線信号、第１有線信号'、第２有線信号、第３有線光信号、第４有線光信号、第４有線信号'に対して次の通り定義する。第１有線信号は、有線ドナーユニットグループ１１２と光線路共有装置１２０との間に転送される有線信号をいう。第１有線信号'は、有線ドナーユニットグループ１１２に含まれた複数の装置が送受信する信号をスタンダード処理した信号をいう。第２有線信号は、光線路共有装置１２０と有線リモートユニットグループ１３２との間に転送される有線信号をいう。第３有線光信号は、第１有線信号'を光信号に変換した信号をいう。第４有線光信号は、分散装置２２０に受信された有線光信号をいい、第４有線信号'は、スタンダード処理された第４有線光信号及び第４有線サミング信号をいう。
【００１８】
図１は、本実施形態に従うクラウド基盤有無線アクセスネットワークのための光線路共有システムを概略的に示すブロック構成図である。
【００１９】
本実施形態に従うクラウド基盤有無線アクセスネットワークのための光線路共有システムは、無線ドナーユニットグループ１１０、有線ドナーユニットグループ１１２、光線路共有装置１２０、無線リモートユニットグループ１３０、及び有線リモートユニットグループ１３２を含む。本実施形態では、クラウド基盤有無線アクセスネットワークを用いるための光線路共有システムが無線ドナーユニットグループ１１０、有線ドナーユニットグループ１１２、光線路共有装置１２０、無線リモートユニットグループ１３０、及び有線リモートユニットグループ１３２のみを含むことと記載しているが、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲でクラウド基盤有無線アクセスネットワークのための光線路共有システムに含まれる構成要素に対して多様に修正及び変形して適用可能である。
【００２０】
無線ドナーユニットグループ１１０は、無線通信網の発信側装備（装置）に設置されることができ、有線ドナーユニットグループ１１２は有線通信網発信側装備（装置）に設置されることができる。例えば、無線ドナーユニットグループ１１０は発信側基地局から受信された信号を互いに異なる波長を用いて光信号に変換する。以後、無線ドナーユニットグループ１１０は、ＣＷＤＭ（Coarse Wavelength Division Multiplexing）方式の多重化を用いて多数個の光信号を１つに束ねた後、１つの光線路を経由して移動通信網の着信基地局に設置されている無線リモートユニットグループ１３０に転送する。一方、有線ドナーユニットグループ１１２は発信側装備から受信した互いに異なるセクタの有線信号を互いに異なる波長を用いて有線信号に変換する。以後、有線ドナーユニットグループ１１２はＣＷＤＭ方式の多重化を用いて多数個の有線信号を１つに束ねた後、１つの光線路を経由して有線通信網の着信装備に設置されている有線リモートユニットグループ１３２に転送する。
【００２１】
また、無線ドナーユニットグループ１１０は各々の光線路を経由して無線リモートユニットグループ１３０から受信した光信号をＣＷＤＭ方式の逆多重化を適用して多数個の光信号に分離する。以後、分離された光信号をＲＦ信号に変換して発信側装備に転送する。一方、有線ドナーユニットグループ１１２は各々の光線路を経由して有線リモートユニットグループ１３２から有線信号を受信する。有線ドナーユニットグループ１１２は、ＣＷＤＭ方式の逆多重化を適用して多数個の有線信号に分離した後、分離された各々の有線信号を発信側装備に転送する。
【００２２】
一方、無線ドナーユニットグループ１１０は移動通信網の発信側基地局から基地局信号を受信し、光送受信処理部で多数個の光信号を１つの光線路を経由して無線リモートユニットグループ１３０に転送する。無線ドナーユニットグループ１１０は、無線リモートユニットグループ１３０から受信した光信号を分離して各々の光送受信処理部に伝達するＣＷＤＭ多重化／逆多重化を遂行する。ここで、無線ドナーユニットグループ１１０は無線通信用ユニットのものが好ましい。また、有線ドナーユニットグループ１１２は有線通信網の発信側装備から有線信号を受信し、各々異なる波長を用いて有線信号を光信号に変換する。有線ドナーユニットグループ１１２は、光信号を１つの信号に合わせた後、１つの光線路を経由して有線リモートユニットグループ１３２に転送する。有線ドナーユニットグループ１１２は、有線リモートユニットグループ１３２から受信した光信号を有線信号に変換して発信側装備に伝達するＣＷＤＭ多重化／逆多重化を遂行することができる。有線ドナーユニットグループ１１２とは、イーサネット（Ethernet）（登録商標）、Ｅ１、Ｅ−ＰＯＮ（Ethernet PON）、Ｇ−ＰＯＮ（Gigabit PON）、及び音声パケットなどを含んだ有線通信用ユニットをいう。一方、無線通信用ユニットである無線ドナーユニットグループ１１０と有線通信用ユニットである有線ドナーユニットグループ１１２とを区分するために、無線通信用ユニットである無線ドナーユニットグループ１１０に連結された光線路を第１光信号線路と定義し、第１光線路を経由して転送される光信号を第１無線光信号と定義する。一方、有線通信用ユニットである有線ドナーユニットグループ１１２に連結された光線路は無線ドナーユニットグループに連結された光線路と同一な線路であるので第１光線路と定義し、第１光線路を経由して転送する有線信号を第１有線信号と定義する。
【００２３】
光線路共有装置１２０は、無線ドナーユニットグループ１１０と無線リモートユニットグループ１３０との間に位置する。光線路共有装置１２０は、無線ドナーユニットグループ１１０、有線ドナーユニットグループ１１２と無線リモートユニットグループ１３０、有線リモートユニットグループ１３２から出力される多チャンネル光信号または有線信号をサミングまたは波長変換する装置をいう。また、光線路共有装置１２０は超高速通信を具現するために光通信を基盤として動作する。このような超高速通信の一例に、ＦＴＴＨ（Fiber-To-The-Home）があるが、このようなＦＴＴＨは時間分割多重化（Time Division Multiplexing）方式、または波長分割多重化（Wavelength Division Multiplexing）方式などを用いる。
【００２４】
本実施形態に従う光線路共有装置１２０は、無線ドナーユニットグループ１１０または有線ドナーユニットグループ１１２から入力される多チャンネルの光信号または有線信号をサミングしたサミング信号を生成するか、光信号または有線信号を波長変換した波長変換信号を生成する。光線路共有装置１２０は、サミング信号及び波長変換信号のうち、いずれか１つの信号を波長単位で多重化し、共有光線路により相互連結された複数個の装置にサミング信号及び波長変換信号のうちのいずれか１つの信号を分配する。光線路共有装置１２０は、分配されたサミング信号または波長変換信号を波長単位で逆多重化した光信号または有線信号を生成する。光線路共有装置１２０は、光信号または有線信号を予め設定された線路を経由して無線リモートユニットグループ１３０または有線リモートユニットグループ１３２に転送する。このような光線路共有装置１２０に対しては、以下、図２から図６で具体的に説明する。
【００２５】
以下、光線路共有装置１２０が適用される例示に対して説明する。光線路共有装置１２０は、無線ドナーユニットグループ１１０を拠点別に集中化する（concentrated by regional centers）ため、基地局コントロールが容易で、運用効率性を高めることができる。クラウドコンピューティング技術が適用されたクラウド基盤有無線アクセスネットワークを用いてクラウドドナーユニット資源を弾力的に（flexibly）リモートユニットに分配することで、地域／期間別に相異する無線データ需要を収容することができる。ここで、クラウドコンピューティングは情報がインターネット上のサーバに永久的に格納され、デスクトップ、タブレットコンピュータ、ノートブック、ネットブック、スマートフォンなどのクライアント端末機には一時的に保管されるコンピュータ環境を意味する。クラウドコンピューティングは、利用者の全ての情報をインターネット上のサーバに格納し、この情報を各種ＩＴ機器を介して何時何処でも利用できるようにするコンピュータ環境接続網を意味する。一方、光線路共有装置１２０は有線ドナーユニットグループ１１２を拠点別に集中化して有線装備コントロールが容易で、運用効率性を高めることができる。
【００２６】
以下、光線路共有装置１２０における無線ドナーユニットグループ１１０と無線リモートユニットグループ１３０との間を連結するインターフェースには、ＣＰＲＩ（Common Public Radio Interface）が利用できる。このようなＣＰＲＩは、光線路共有装置１２０と無線ドナーユニットグループ１１０の制御機と光線路共有装置１２０と無線リモートユニットグループ１３０の制御機の接続を定義する規格をいう。光線路共有装置１２０で使われるＣＰＲＩラインビットレート（Line Bit Rate）には、例えば、CPRI Line Bit Rate Option３：２４５７．６Ｍｂｉｔ／ｓ（４ｘ６１４．４Ｍｂｉｔ／ｓ）、CPRI Line Bit Rate Option４：３０７２．０Ｍｂｉｔ／ｓ（５ｘ６１４．４Ｍｂｉｔ／ｓ）、CPRI Line Bit Rate Option５：４９１５．２Ｍｂｉｔ／ｓ（８ｘ６１４．４Ｍｂｉｔ／ｓ）、CPRI Line Bit Rate Option６：６１４４．０Ｍｂｉｔ／ｓ（１０ｘ６１４．４Ｍｂｉｔ／ｓ）などが利用できる。
【００２７】
また、光線路共有装置１２０における無線ドナーユニットグループ１１０と無線リモートユニットグループ１３０との間を連結するインターフェースにＯＢＳＡＩ（Open Base Station Architecture Initiative）が利用できる。ＯＢＳＡＩは、基地局構造に対する開放された規格（Specification）を作ってモジュールの間に内部的インターフェースに対して詳細な規格と基本的なモジュール構造を定義する。ＯＢＳＡＩを利用すれば、次世代の基地局が要求する技術的仕様とモジュール構造の融通性による費用低減効果を期待することができる。光線路共有装置１２０で使われるＯＢＳＡＩラインビットレートは３０７２．０Ｍｂｉｔ／ｓと６１４４．０Ｍｂｉｔ／ｓなどが利用できる。
【００２８】
光線路共有装置１２０が適用される無線サービスの例を挙げれば、光帯域符号分割多重接続（Ｗ−ＣＤＭＡ：Wideband Code Division Multiple Access）、高速アップリンクパケット接続（ＨＳＵＰＡ：High Speed Uplink Packet Access）、ＬＴＥ（Long Term Evolution）、ＬＴＥアドバンスド（LTE Advanced）などになることができる。このような網にＣＰＲＩやＯＢＳＡＩインターフェースで光線路共有装置１２０を構成すれば、安定した網を構成することができる。
【００２９】
無線リモートユニットグループ１３０または有線リモートユニットグループ１３２は、移動通信網の着信側基地局に設置できる。無線リモートユニットグループ１３０または有線リモートユニットグループ１３２は、光線路を経由して無線ドナーユニットグループ１１０と有線ドナーユニットグループ１１２から受信した光信号をＣＷＤＭ方式の逆多重化を通じて多数個の光信号に分離する。無線リモートユニットグループ１３０または有線リモートユニットグループ１３２は、各々の光信号を各無線リモートグループのＲＵ及び有線リモートグループのＯＬＴに転送する。また、無線リモートユニットグループ１３０または有線リモートユニットグループ１３２は、無線リモートグループのＲＵ及び有線リモートグループのＯＬＴから受信した多数個の光信号を互いに異なる波長に変換する。無線リモートユニットグループ１３０または有線リモートユニットグループ１３２は、ＣＷＤＭ方式の多重化を用いて多数個の光信号を１つに束ねた後、１つの光線路を経由して無線ドナーユニットグループ１１０と有線ドナーユニットグループ１１２とに転送する。ここで、有線リモートユニットグループ１３２は通信用ユニットのものが好ましい。
【００３０】
一方、有線リモートユニットグループ１３２は有線通信用ユニットのものが好ましい。ここで、有線リモートユニットグループ１３２は、イーサネット（登録商標）、Ｅ１、Ｅ−ＰＯＮ、Ｇ−ＰＯＮなどを含んだ有線通信用ユニットをいう。一方、無線リモートユニットグループ１３０と有線リモートユニットグループ１３２とを区分するために無線リモートユニットグループ１３０に連結された光線路を第２光線路と定義し、第２光線路に転送する光信号を第２無線光信号と定義する。一方、有線リモートユニットグループ１３２に連結された線路を第２光線路と定義し、第２光線路に転送する有線信号を第２有線信号と定義する。
【００３１】
図２は、本実施形態に従う光線路共有装置を概略的に示すブロック構成図である。
【００３２】
本実施形態に従う光線路共有装置１２０は、集中化装置２１０及び分散装置２２０を含む。本実施形態では、光線路共有装置１２０が集中化装置２１０及び分散装置２２０のみを含むことと記載しているが、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で光線路共有装置１２０に含まれる構成要素に対して多様に修正及び変形して適用可能である。
【００３３】
集中化装置２１０は、無線ドナーユニットグループ１１０から入力される多チャンネルの光信号または有線ドナーユニットグループ１１２から入力される多チャンネルの有線信号をサミングしたサミング信号を生成するか、光信号または有線信号を波長変換した波長変換信号を生成する。集中化装置２１０は、サミング信号及び波長変換信号を波長単位で多重化し、共有光線路により連結された分散装置２２０にサミング信号及び波長変換信号を分配する。
【００３４】
このような集中化装置２１０の動作過程についてより具体的に説明する。本実施形態に従う集中化装置２１０は、無線ドナーユニットグループ１１０から入力される多チャンネルの光信号または有線ドナーユニットグループ１１２から入力される多チャンネルの有線信号をサミングしたサミング信号を生成する。集中化装置２１０は、無線ドナーユニットグループ１１０、有線ドナーユニットグループ１１２から入力される光信号または有線信号を異なる波長に変換した波長変換信号を出力する。集中化装置２１０は、サミング信号及び波長変換信号を波長単位で多重化し、共有光線路により相互連結された分散装置２２０でサミング信号及び波長変換信号が分配されるようにする。この際、集中化装置２１０がサミング信号及び波長変換信号を分配するための動作を説明すると、集中化装置２１０は備えられた光ディバイダーを用いてＮ個の共有光線路にサミング信号及び波長変換信号が分配されるようにする。ここで、集中化装置２１０が遂行する信号処理過程での各信号についてより具体的に説明すると、無線ドナーユニットグループ１１０から入力される光信号である第１無線光信号をサミングした第１無線サミング信号を生成するか、または有線ドナーユニットグループ１１２から入力される有線信号である第１有線信号をサミングした第１有線サミング信号を生成する。
【００３５】
集中化装置２１０が多重化を遂行する過程について説明すると、集中化装置２１０は高密度波長分割多重化部５２０で光信号を高密度波長に多重化した第２サミング信号を生成する。集中化装置２１０は、第２サミング信号と光信号を低密度波長に多重化した第２'サミング信号を生成する。集中化装置２１０は、第２'サミング信号が共有光線路に分配されるようにする。ここで、高密度波長とは波長間隔の狭い波長をいい、低密度波長とは波長間隔の広い波長をいう。また、集中化装置２１０が波長変換を遂行する過程について説明すると、集中化装置２１０は第１無線光信号または第１有線信号の波長を異なる波長に変換した波長変換信号を出力する。この際、集中化装置２１０は無線ドナーユニットグループ１１０から第１無線光信号を受信し、有線ドナーユニットグループ１１２から第１有線信号を受信する。以後、集中化装置２１０は第１無線光信号または第１有線信号を波長変換した波長変換信号である第３無線光信号を出力し、第３無線光信号を波長分割多重化のためのモジュールに転送する。また、集中化装置２１０が転送率によってサミング信号を生成する動作について説明すると、集中化装置２１０は低転送率で受信される第１無線光信号を受信し、第１無線光信号を異なる波長に変換して出力する。集中化装置２１０は、第１無線光信号をサミングした第１無線サミング信号を生成した後、第１無線サミング信号を異なる波長に変換する。集中化装置２１０は、第１無線サミング信号を高転送率で出力する。一方、集中化装置２１０は低転送率で受信される第１有線信号を受信し、第１有線信号を異なる波長に変換して出力する。集中化装置２１０は、第１有線信号をサミングした第１無線サミング信号を生成した後、第１無線サミング信号を異なる波長に変換し、第１無線サミング信号を高転送率で出力する。
【００３６】
一方、本実施形態に従う集中化装置２１０は波長変換のみを遂行する装置で具現できるが、このような場合、集中化装置２１０は無線ドナーユニットグループ１１０から入力される多チャンネルの光信号または有線ドナーユニットグループ１１２から入力される有線信号を異なる波長に変換した波長変換信号を出力する。集中化装置２１０は、波長変換信号を波長単位で多重化する。集中化装置２１０は、共有光線路により相互連結された分散装置２２０に波長変換信号が分配されるように制御して、分散装置をして波長変換信号を用いた信号処理が遂行されるようにする。また、集中化装置２１０はサミング信号を用いる装置で具現できる。集中化装置２１０がサミング信号を用いる装置で具現された場合、集中化装置２１０は無線ドナーユニットグループ１１０から入力される多チャンネルの光信号または有線ドナーユニットグループ１１２から入力される有線信号の転送速度に対応する転送率を決定する。集中化装置２１０は、決定された転送率に基づいて光信号または有線信号をサミングしたサミング信号を生成し、サミング信号を波長単位で分離したり、分離された波長単位のサミング信号を多重化したりする。集中化装置２１０は、共有光線路により相互連結された分散装置２２０にサミング信号が分配されるように制御して、分散装置２２０をしてサミング信号を用いた信号処理が遂行されるようにする。
【００３７】
分散装置２２０は、集中化装置２１０から分配されたサミング信号または波長変換信号を波長単位で逆多重化した光信号または有線信号を生成する。分散装置２２０は、光信号または有線信号を予め設定された各々の線路を経由して無線リモートユニットグループ１３０または有線リモートユニットグループ１３２に転送する。ここで、分散装置２２０は複数個の装置である第１分散装置２２２、第２分散装置２２４、及び第Ｎ分散装置２２６を含んだグループ概念である。このような第１分散装置２２２、第２分散装置２２４、及び第Ｎ分散装置２２６は、全て同一な概念であるので、以下では第１分散装置２２２、第２分散装置２２４、及び第Ｎ分散装置２２６を全て含んだ概念で分散装置２２０として説明する。
【００３８】
本実施形態に従う分散装置２２０は、共有光線路により相互連結された集中化装置２１０から入力されたサミング信号及び波長変換信号のうち、いずれか１つの信号を波長単位で逆多重化を遂行する。分散装置２２０は、サミング信号を分解した光信号または有線信号を無線リモートユニットグループ１３０または有線リモートユニットグループ１３２に転送したり、波長変換信号を異なる波長に変換した光信号を無線リモートユニットグループ１３０または有線リモートユニットグループ１３２に転送したりする。この際、分散装置２２０が入力されたサミング信号及び波長変換信号のうち、いずれか１つの信号を波長単位で逆多重化するための動作について説明すると、分散装置２２０は備えられた光スイッチを用いてＮ個の共有光線路からサミング信号及び波長変換信号のうち、いずれか１つの信号を受信するようにスイッチングする。
【００３９】
分散装置２２０は、集中化装置２１０から受信されたサミング信号である第２'サミング信号を分解した光信号である第２無線光信号を無線リモートユニットグループ１３０に転送する。一方、分散装置２２０は集中化装置２１０から受信されたサミング信号である第２'サミング信号を分解した有線信号である第２有線信号を有線リモートユニットグループ１３２に転送する。また、分散装置２２０が逆多重化を遂行する過程について説明すると、分散装置２２０は共有光線路から分配された第２'サミング信号のうち、低密度光信号を波長単位で逆多重化した第３サミング信号を生成し、第３サミング信号のうち、高密度光信号を波長単位で逆多重化した第４無線サミング信号を生成する。
【００４０】
分散装置２２０が波長変換を遂行する過程について説明すると、分散装置２２０は受信された波長変換信号の波長を異なる波長に変換して第２無線光信号または第２有線信号に出力する。この際、分散装置２２０は波長分解多重化部から第４無線光信号を波長分割多重化するモジュールから受信し、第４無線光信号を波長変換して第２無線光信号を出力する。分散装置２２０は、無線リモートユニットグループ１３０に第２無線光信号を転送する。一方、分散装置２２０は波長分解多重化部から第４有線光信号を波長分割多重化するモジュールから受信し、第４有線光信号を波長変換して第２有線信号を出力し、有線リモートユニットグループ１３２に第２有線信号を転送する。
【００４１】
以下、分散装置２２０が転送率によってサミング信号を分解する動作について説明する。分散装置２２０は高転送率で受信される第４無線サミング信号を受信し、第４無線サミング信号を異なる波長に変換して出力する。分散装置２２０は、第４無線サミング信号を分解した第２無線光信号を生成し、第２無線光信号を異なる波長に変換して低転送率で出力する。一方、分散装置２２０は高転送率で受信される第４有線サミング信号を受信する。分散装置２２０は、第４有線サミング信号を異なる波長に変換して出力し、第４有線サミング信号を分解した第４有線信号'を生成し、第４有線信号'を異なる波長に変換して低転送率で出力する。
【００４２】
一方、本実施形態に従う分散装置２２０は波長変換のみを遂行する装置で具現される場合、分散装置２２０は共有光線路により相互連結された集中化装置２１０から入力された波長変換信号を波長単位で逆多重化を遂行する。分散装置２２０は、波長変換信号を異なる波長に変換した光信号をリモートユニットグループに転送する。また、本実施形態に従う分散装置２２０がサミング信号を用いる装置のみで具現された場合、分散装置２２０は共有光線路により相互連結された集中化装置２１０からサミング信号を受信し、サミング信号を波長単位で逆多重化を遂行する。分散装置２２０はサミング信号を光信号に分解し、分解された光信号を転送率によって予め設定された光線路を経由して無線リモートユニットグループ１３０または有線リモートユニットグループ１３２に転送する。
【００４３】
図３は、本実施形態に従う集中化装置を概略的に示すブロック構成図である。
【００４４】
本実施形態に従う集中化装置２１０は、第１波長変換部３１０、第１無線転送率変換部３２０、第１波長分割多重化部３３０、第１電気−光変換部３４０、第１有線転送率変換部３５０、及び第１有線通信処理部３６０を含む。本実施形態では、集中化装置２１０が第１波長変換部３１０、第１無線転送率変換部３２０、第１波長分割多重化部３３０、第１電気−光変換部３４０、第１有線転送率変換部３５０、及び第１有線通信処理部３６０のみを含むことと記載しているが、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で集中化装置２１０に含まれる構成要素に対して多様に修正及び変形して適用可能である。
【００４５】
即ち、本実施形態に従う集中化装置２１０が波長変換のみを遂行する装置で具現される場合、第１波長変換部３１０と第１波長分割多重化部３３０のみを含む形態に具現可能である。集中化装置２１０がサミング信号を生成する装置で具現される場合、第１無線転送率変換部３２０と第１波長分割多重化部３３０のみを含む形態に具現可能である。集中化装置２１０がサミング信号及び波長変換を全て遂行する装置で具現される場合、第１波長変換部３１０、第１無線転送率変換部３２０、及び第１波長分割多重化部３３０を全て含む形態に具現可能である。
【００４６】
第１波長変換部３１０は、無線ドナーユニットグループ１１０から入力される多チャンネルの光信号を異なる波長に変換した波長変換信号を出力する。第１波長変換部３１０は、無線ドナーユニットグループ１１０から入力される多チャンネルの光信号である第１無線光信号を受信した後、第１無線光信号を波長変換した波長変換信号である第３無線光信号を出力する。第１波長変換部３１０は、第３無線光信号を第１波長分割多重化部３３０に転送する。
【００４７】
第１無線転送率変換部３２０は、無線ドナーユニットグループ１１０から入力される多チャンネルの光信号の転送速度に対応する転送率を決定し、転送率に基づいて光信号をサミングしたサミング信号を生成する。ここで、第１無線転送率変換部３２０が遂行する信号処理過程についてより具体的に説明すると、第１無線転送率変換部３２０は無線ドナーユニットグループ１１０から入力される光信号である第１無線光信号をサミングした第１無線サミング信号を生成する。また、第１無線転送率変換部３２０は低転送率で受信される第１無線光信号を受信し、第１無線光信号を異なる波長に変換して出力する。第１無線転送率変換部３２０は、第１無線光信号をサミングした第１無線サミング信号を生成した後、第１無線サミング信号を異なる波長に変換し、第１無線サミング信号を高転送率で出力する。
【００４８】
第１波長分割多重化部３３０は１つの光線路で多数の通信チャンネルを使用する多重化を遂行する。波長分割多重化方式は１つの光線路で互いに異なる波長を有する信号を転送する方式であって、受信側では転送された信号を各々の波長に従う信号に分離する。
【００４９】
本実施形態に従う第１波長分割多重化部３３０が波長変換信号及びサミング信号を処理する過程について説明する。第１波長分割多重化部３３０は、第１無線転送率変換部３２０から受信したサミング信号及び第１波長変換部３１０から受信した波長変換信号を波長単位で多重化する。第１波長分割多重化部３３０は、共有光線路により相互連結された分散装置２２０にサミング信号及び波長変換信号を分配する。第１波長分割多重化部３３０が波長変換信号を処理する過程について説明する。第１波長分割多重化部３３０は、第１波長変換部３１０から受信された波長変換信号を波長単位で多重化する。第１波長分割多重化部３３０は、共有光線路により相互連結された分散装置２２０に波長変換信号が分配されるように制御する。第１波長分割多重化部３３０がサミング信号を処理する過程について説明する。第１波長分割多重化部３３０は、第１無線転送率変換部３２０から受信されたサミング信号を波長単位で分離したり、分離された波長単位のサミング信号を多重化したりする。第１波長分割多重化部３３０は、共有光線路により相互連結された分散装置２２０にサミング信号が分配されるように制御して、分散装置２２０をしてサミング信号を用いた信号処理が遂行されるようにする。
【００５０】
第１電気−光変換部３４０は、有線ドナーユニットグループ１１２から入力される有線信号を異なる波長に変換した波長変換信号を出力する。第１電気−光変換部３４０は、有線ドナーユニットグループ１１２から入力される有線信号である第１有線信号を受信した後、第１有線信号を波長変換した波長変換信号である第３有線光信号を出力する。第１電気−光変換部３４０は、第３有線光信号を第１波長分割多重化部３３０に転送する。即ち、第１電気−光変換部３４０は第１有線通信処理部３６０から受信された第１有線信号'の波長を異なる波長に変換して光信号に変換した第３有線光信号が出力されるようにする。
【００５１】
第１有線転送率変換部３５０は、第１有線通信処理部３６０から入力される有線信号の転送速度に対応する転送率を決定し、転送率に基づいて光信号をサミングしたサミング信号を生成する。ここで、第１有線転送率変換部３５０が遂行する信号処理過程についてより具体的に説明する。第１有線転送率変換部３５０は、第１有線通信処理部３６０から有線ドナーユニットグループ１１２により入力される第１有線信号をスタンダード信号に処理した第１有線信号'をサミングした第１有線サミング信号を生成する。また、第１有線転送率変換部３５０は低転送率で受信される第１有線信号'を受信し、第１有線信号'を異なる波長に変換して出力する。第１有線転送率変換部３５０は、第１有線信号'をサミングした第１有線サミング信号を生成した後、第１有線サミング信号を異なる波長に変換し、第１有線サミング信号を高転送率で出力する。第１有線通信処理部３６０は、有線ドナーユニットグループ１１２に含まれた複数の装置から各々受信された第１有線信号をスタンダード信号として処理した第１有線信号'を生成する。１有線通信処理部３６０は、生成された第１有線信号'を第１電気−光変換部３４０及び第１有線転送率変換部３５０に転送する。
【００５２】
図４は、本実施形態に従う分散装置を概略的に示すブロック構成図である。
【００５３】
本実施形態に従う分散装置２２０は、第２波長分割多重化部４１０、第２波長変換部４２０、第２無線転送率変換部４３０、第２電気−光変換部４４０、第２有線転送率変換部４５０、及び第２有線通信処理部４６０を含む。本実施形態では、分散装置２２０が第２波長分割多重化部４１０、第２波長変換部４２０、第２無線転送率変換部４３０、第２電気−光変換部４４０、第２有線転送率変換部４５０、及び第２有線通信処理部４６０のみを含むことと記載しているが、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で分散装置２２０に含まれる構成要素に対して多様に修正及び変形して適用可能である。
【００５４】
即ち、本実施形態に従う分散装置２２０が波長変換のみを遂行する装置で具現される場合、第２波長変換部４２０と第２波長分割多重化部４１０のみを含む形態に具現可能であり、分散装置２２０がサミング信号を生成する装置で具現される場合、第２無線転送率変換部４３０と第２波長分割多重化部４１０のみを含む形態に具現可能であり、分散装置２２０がサミング信号及び波長変換を全て遂行する装置で具現される場合、第２無線転送率変換部４３０、第２波長変換部４２０、及び第２波長分割多重化部４１０を全て含む形態に具現可能である。
【００５５】
第２波長分割多重化部４１０は、共有光線路により相互連結された集中化装置２１０からサミング信号を受信し、サミング信号を波長単位で逆多重化する。また、第２波長分割多重化部４１０は共有光線路により相互連結された集中化装置２１０から入力された波長変換信号を波長単位で逆多重化する。一方、第２波長分割多重化部４１０は共有光線路により相互連結された集中化装置２１０から入力されたサミング信号及び波長変換信号を全て受信することができる。第２波長分割多重化部４１０は、共有光線路により相互連結された集中化装置２１０から入力されたサミング信号及び波長変換信号を波長単位で逆多重化する。この際、第２波長分割多重化部４１０は備えられた光スイッチを用いてＮ個の共有光線路からサミング信号及び波長変換信号を受信するようにスイッチングする。
【００５６】
また、第２波長分割多重化部４１０は第２低密度波長分割多重化部６１０と第２高密度波長分割多重化部６２０を含む。このような第２低密度波長分割多重化部６１０は、共有光線路から分配された第２'サミング信号のうち、低密度光信号を波長単位で逆多重化した第３サミング信号を生成する。また、第２高密度波長分割多重化部６２０は第３サミング信号のうち、高密度光信号を波長単位で逆多重化した第４無線サミング信号を生成する。
【００５７】
第２波長変換部４２０は、第２波長分割多重化部４１０から受信された波長変換信号の波長を異なる波長に変換して第２無線光信号に出力する。第２波長変換部４２０は、第２波長分割多重化部４１０から受信された波長変換信号である第４無線光信号を第２波長分割多重化部４１０から受信する。第２波長変換部４２０は、第４無線光信号を波長変換して第２無線光信号を出力し、無線リモートユニットグループ１３０に第２無線光信号を転送する。この際、第２波長変換部４２０は波長変換信号を異なる波長に変換した光信号を無線リモートユニットグループ１３０に転送する。
【００５８】
第２無線転送率変換部４３０は、第２波長分割多重化部４１０から受信されたサミング信号を光信号に分解する。第２無線転送率変換部４３０は、分解された光信号を転送率によって予め設定された光線路を経由して無線リモートユニットグループ１３０に転送する。この際、第２無線転送率変換部４３０は集中化装置２１０から受信されたサミング信号である第２'サミング信号を分解した光信号である第２無線光信号を無線リモートユニットグループ１３０に転送する。また、第２無線転送率変換部４３０は第２波長分割多重化部４１０から高転送率で受信される第４無線サミング信号を受信する。第２無線転送率変換部４３０は、第４無線サミング信号を異なる波長に変換して出力する。第２無線転送率変換部４３０は、第４無線サミング信号を分解した第２無線光信号を生成し、第２無線光信号を異なる波長に変換して低転送率で出力する。
【００５９】
第２電気−光変換部４４０は、第２波長分割多重化部４１０から受信された波長変換信号の波長を異なる波長に変換して第２有線信号に出力する。第２電気−光変換部４４０は、第２波長分割多重化部４１０から受信された波長変換信号である第４有線光信号を第２波長分割多重化部４１０から受信する。第２電気−光変換部４４０は、第４有線光信号を波長変換して第４有線信号'を出力する。第２電気−光変換部４４０は、第２有線通信処理部４６０に第４有線信号'を転送する。この際、第２電気−光変換部４４０は波長変換信号を異なる波長に変換した有線信号を第２有線通信処理部４６０に転送する。
【００６０】
第２有線転送率変換部４５０は、第２波長分割多重化部４１０から受信されたサミング信号を有線信号に分解する。第２有線転送率変換部４５０は、分解された有線信号を転送率によって予め設定された光線路を経由して第２有線通信処理部４６０に転送する。この際、第２有線転送率変換部４５０は集中化装置２１０から受信されたサミング信号である第２'サミング信号を分解した有線信号である第４有線信号'を第２有線通信処理部４６０に転送する。また、第２有線転送率変換部４５０は第２波長分割多重化部４１０から高転送率で受信される第４有線サミング信号を受信する。第２有線転送率変換部４５０は、第４有線サミング信号を異なる波長に変換して出力し、第４有線サミング信号を分解した第４有線信号'を生成する。第２有線転送率変換部４５０は、第４有線信号'を異なる波長に変換して低転送率で出力する。第２有線通信処理部４６０は、第２電気−光変換部４４０及び第２有線転送率変換部４５０から受信された第４有線信号'を有線リモートユニットグループ１３２に適用可能な第２有線信号に変換して出力する。
【００６１】
図５は、本実施形態に従う第１波長分割多重化部を示すブロック構成図である。
【００６２】
第１波長分割多重化部３３０は、１つの光線路で多数の通信チャンネルを使用する多重化を遂行する。このような波長分割多重化方式は１つの光線路で互いに異なる波長を有する信号を転送する方式であって、受信側では転送された信号を各々の波長に従う信号に分離する。また、第１波長分割多重化部３３０は第１高密度波長分割多重化（Dense Wavelength Division Multiplexing）部５２０と第１低密度波長分割多重化（Coarse Wavelength Division Multiplexing）部５１０とを含む。
【００６３】
本実施形態に従う第１波長分割多重化部３３０が波長変換信号及びサミング信号を処理する過程について説明する。第１波長分割多重化部３３０は、第１無線転送率変換部３２０から受信したサミング信号及び第１波長変換部３１０を通じて受信した波長変換信号を波長単位で多重化する。第１波長分割多重化部３３０は、共有光線路により相互連結された分散装置２２０にサミング信号及び波長変換信号を分配する。第１波長分割多重化部３３０が波長変換信号を処理する過程について説明する。第１波長分割多重化部３３０は、第１波長変換部３１０から受信された波長変換信号を波長単位で多重化し、共有光線路により相互連結された分散装置２２０に波長変換信号が分配されるように制御する。第１波長分割多重化部３３０がサミング信号を処理する過程について説明する。第１波長分割多重化部３３０は、第１無線転送率変換部３２０から受信されたサミング信号を波長単位で分離したり、分離された波長単位のサミング信号を多重化したりする。第１波長分割多重化部３３０は、共有光線路により相互連結された分散装置２２０にサミング信号が分配されるように制御して、分散装置２２０をしてサミング信号を用いた信号処理が遂行されるようにする。
【００６４】
第１高密度波長分割多重化部５２０が各種ネットワークを介しての大容量波長分割多重化（Wavelength-Division Multiplexing：ＷＤＭ）時、光通信を遂行するためにはチャンネル数が多く、チャンネル間隔も約１０ＧＨｚまたはその以下に極めて狭くなった形態の波長分割多重化光通信が必要となる。この際、高密度波長分割多重化（Dense-WDM：ＤＷＤＭ）または光周波数分割多重化（Optical Frequency-Division Multiplexing：ＯＦＤＭ）を遂行するモジュールを第１高密度波長分割多重化部５２０ということができる。即ち、集中化装置２１０で互いに異なる波長の光を同時に検出する時に発生するチャンネル間の周波数の差と同一なサイズのビット周波数（Beat Frequency）成分を制御信号として用いて、光通信システム光源間の光周波数間隔を一定に維持させる。この際、転送速度がビット周波数に比べて十分に小さい場合、光チャンネル間の間隔を１０ＧＨｚ以下まで最小化することができる。したがって、チャンネル間隔が極めて狭い波長分割多重化されたシステム用光源の構成が容易になる。また、両方向光通信の場合、送受信波長が互いに微細に異なることがあるので、レイリー散乱（Rayleigh Scattering）により発生する送受信チャンネル間漏話（Crosstalk）現象を減らすことができる。
【００６５】
本実施形態に従う第１高密度波長分割多重化部５２０は、第１無線サミング信号、第１有線サミング信号を高密度光信号波長単位で多重化した第２サミング信号を生成する。ここで、高密度光信号とは、波長間隔の狭い光信号をいう。即ち、第１高密度波長分割多重化部５２０は、第１無線サミング信号、第１有線サミング信号を波長間隔の狭い光信号である高密度光信号波長単位で多重化した第２サミング信号を生成するものである。
【００６６】
第１低密度波長分割多重化部５１０は、波長間隔が大きいため、Uncooled DFBレーザーと広帯域光フィルタを用いることができ、低い電力消耗、小さなサイズで具現できる。また、第１低密度波長分割多重化部５１０は１つの光ケーブルに複数個の光信号を各々波長分割多重化方式により多重化して転送する。例えば、第１低密度波長分割多重化部５１０は低密度波長分割多重化方式により光ファイバーが有する全波長間隔（例えば、１２７０ｎｍから１６１０ｎｍまでの１８チャンネルのうちの１６チャンネル）を用いることができる。また、第１低密度波長分割多重化部５１０は、マックス／デマックス（MUX／DeMUX）と、これを連結する光ケーブルを含む。この際、マックスとデマックスとの間で光信号を送信または受信する必要がある場合には、ＯＡＤＭ（Optical Add/Drop Multiplexer）が設置できる。
【００６７】
本実施形態に従う第１低密度波長分割多重化部５１０は、第１高密度波長分割多重化部５２０から受信された第２サミング信号のうち、低密度光信号を波長単位で多重化した第２'サミング信号を生成する。第１低密度波長分割多重化部５１０は、第２'サミング信号が共有光線路に分配されるようにする。即ち、第１低密度波長分割多重化部５１０は第２'サミング信号が第１−１共有光線路及び第１−Ｎ共有光線路で連結された分散装置２２０に分配されるようにする。ここで、低密度光信号とは、波長間隔の広い光信号をいう。即ち、第１低密度波長分割多重化部５１０は第２サミング信号のうち、低密度光信号を波長単位で多重化した第２'サミング信号を生成し、第２'サミング信号が共有光線路に分配されるようにする。
【００６８】
図６は、本実施形態に従う第２波長分割多重化部を示すブロック構成図である。
【００６９】
第２波長分割多重化部４１０は、第２低密度波長分割多重化部６１０と第２高密度波長分割多重化部６２０とを含む。このような第２低密度波長分割多重化部６１０は、共有光線路から分配された第２'サミング信号のうち、光スイッチにより選択された第３’サミング信号を低密度波長単位で逆多重化し、第２高密度波長分割多重化部に伝達される第３サミング信号を生成する。また、第２高密度波長分割多重化部６２０は第３サミング信号のうち、高密度光信号を波長単位で逆多重化した第４無線光信号、第４有線光信号、第４無線サミング信号、第４有線サミング信号を生成する。
【００７０】
図７は、本実施形態に従う波長変換部を概略的に示すブロック構成図である。
【００７１】
図７の（Ａ）は集中化装置２１０の第１波長変換部３１０を概略的に示すブロック構成図であって、第１光受信モジュール７１０、第１クロック再生部７２０、及び第１光送信モジュール７３０を含む。勿論、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で第１波長変換部３１０に含まれる構成要素に対して多様に修正及び変形して適用可能である。ここで、第１光受信モジュール７１０は無線ドナーユニットグループ１１０から第１無線光信号を受信する。第１クロック再生部７２０は、第１光受信モジュール７１０を通じて受信された第１無線光信号を波長変換した波長変換信号である第３無線光信号を出力する。第１光送信モジュール７３０は、第１クロック再生部７２０から受信された第３無線光信号を第１波長分割多重化部３３０に転送する。
【００７２】
図７の（Ｂ）は分散装置２２０の第２波長変換部４２０を概略的に示すブロック構成図であって、第２光受信モジュール７４０、第２クロック再生部７５０、及び第２光送信モジュール７６０を含む。勿論、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で第２波長変換部４２０に含まれる構成要素に対して多様に修正及び変形して適用可能である。ここで、第２光受信モジュール７４０は第２波長分割多重化部から第４無線光信号を受信する。第２クロック再生部７５０は、第２光受信モジュール７４０から受信された第４無線光信号を波長変換して第２無線光信号を出力する。第２光送信モジュール７６０は、第２クロック再生部７５０から受信された第２無線光信号を無線リモートユニットグループ１３０に転送する。
【００７３】
図８は、本実施形態に従う電気−光変換部を概略的に示すブロック構成図である。
【００７４】
図８の（Ａ）は集中化装置２１０の第１電気−光変換部３４０を概略的に示すブロック構成図であって、第１有線信号受信モジュール８１０、第１有線クロック再生部８２０、及び第１有線光送信モジュール８３０を含む。勿論、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で第１電気−光変換部３４０に含まれる構成要素に対して多様に修正及び変形して適用可能である。ここで、第１有線信号受信モジュール８１０は有線ドナーユニットグループ１１２から第１有線信号を受信する。第１有線クロック再生部８２０は、第１有線信号受信モジュール８１０から受信された第１有線信号を波長変換した波長変換信号である第３有線光信号を出力する。第１有線光送信モジュール８３０は、第１有線クロック再生部８２０から受信された第３有線光信号を第１波長分割多重化部３３０に転送する。
【００７５】
図８の（Ｂ）は分散装置２２０の第２電気−光変換部４４０を概略的に示すブロック構成図であって、第２有線光受信モジュール８４０、第２有線クロック再生部８５０、及び第２有線信号送信モジュール８６０を含む。勿論、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で第２電気−光変換部４４０に含まれる構成要素に対して多様に修正及び変形して適用可能である。ここで、第２有線光受信モジュール８４０は第２波長分割多重化部から第４有線光信号'を受信する。第２有線クロック再生部８５０は、第２有線光受信モジュール８４０から受信された第４有線光信号'を波長変換して第２有線信号を出力する。第２有線信号送信モジュール８６０は、第２有線クロック再生部８５０から受信された第２有線信号を有線リモートユニットグループ１３２に転送したり、第２有線クロック再生部８５０から受信された第２有線信号を有線リモートユニットグループ１３２に転送したりする。
【００７６】
図９は、本実施形態に従う無線転送率変換部を概略的に示すブロック構成図である。
【００７７】
図９の（Ａ）は集中化装置２１０の第１無線転送率変換部３２０を概略的に示すブロック構成図であって、第１低転送率光モジュール９１０、第１低転送率クロック再生部９２０、第１高転送率光モジュール９３０、第１高転送率クロック再生部９４０、及びサミング信号生成部９５０を含む。勿論、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で第１無線転送率変換部３２０に含まれる構成要素に対して多様に修正及び変形して適用可能である。ここで、第１低転送率光モジュール９１０は無線ドナーユニットグループ１１０から低転送率で受信される第１無線光信号を受信し、第１低転送率クロック再生部９２０は第１無線光信号を異なる波長に変換して出力し、サミング信号生成部９５０は第１無線光信号をサミングした第１無線サミング信号を生成する。第１高転送率クロック再生部９４０は第１無線サミング信号を異なる波長に変換し、第１高転送率光モジュール９３０は第１無線サミング信号を高転送率で出力する。ここで、第１高転送率光モジュール９３０がＭ個の場合、第１低転送率光モジュール９１０はＭの整数倍であるＮ個でありうる。
【００７８】
一方、図９の（Ｂ）は分散装置２２０の第２無線転送率変換部４３０を概略的に示すブロック構成図であって、第２高転送率光モジュール９６０、第２高転送率クロック再生部９７０、第２低転送率光モジュール９８０、第２低転送率クロック再生部９９０、及びサミング信号分解部９９２を含む。勿論、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で第２無線転送率変換部４３０に含まれる構成要素に対して多様に修正及び変形して適用可能である。第２低転送率光モジュール９８０は、第２波長分割多重化部４１０から低転送率の第４無線サミング信号を受信する。ここで、第２高転送率光モジュール９６０は高転送率で受信される第４無線サミング信号を受信し、第２高転送率クロック再生部９７０は第４無線サミング信号を異なる波長に変換して出力する。サミング信号分解部９９２は、第４無線サミング信号を分解した第２無線光信号を生成する。第２低転送率クロック再生部９９０は、第２無線光信号を異なる波長に変換する。第２高転送率光モジュール９６０は、第２無線光信号を低転送率で出力する。ここで、第２高転送率光モジュール９６０がＭ個の場合、第２低転送率光モジュール９８０はＭの整数倍であるＮ個でありうる。
【００７９】
図１０は、本実施形態に従う有線転送率変換部を概略的に示すブロック構成図である。
【００８０】
図１０の（Ａ）は集中化装置２１０の第１有線転送率変換部３５０を概略的に示すブロック構成図であって、第１有線低転送率モジュール１０１０、第１有線低転送率クロック再生部１０２０、第１有線高転送率光モジュール１０３０、第１有線高転送率クロック再生部１０４０、及び有線サミング信号生成部１０５０を含む。勿論、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で第１有線転送率変換部３５０に含まれる構成要素に対して多様に修正及び変形して適用可能である。ここで、第１有線低転送率モジュール１０１０は有線ドナーユニットグループ１１２から低転送率で受信される第１有線信号'（第１有線信号）を受信し、第１有線低転送率クロック再生部１０２０は第１有線信号'（第１有線信号）を異なる波長に変換して出力する。有線サミング信号生成部１０５０は、第１有線信号'（第１有線信号）をサミングした第１有線サミング信号を生成する。第１有線高転送率クロック再生部１０４０は、第１有線サミング信号を異なる波長に変換する。第１有線高転送率光モジュール１０３０は、第１有線サミング信号を高転送率で出力する。ここで、第１有線高転送率光モジュール１０３０がＭ個の場合、第１有線低転送率モジュール１０１０はＭの整数倍であるＮ個でありうる。
【００８１】
一方、図１０の（Ｂ）は分散装置２２０の第２有線転送率変換部４５０を概略的に示すブロック構成図であって、第２有線高転送率光モジュール１０６０、第２有線高転送率クロック再生部１０７０、第２有線低転送率有線モジュール１０８０、第２有線低転送率クロック再生部１０９０、及び有線サミング信号分解部１０９２を含む。勿論、これは本発明の一実施形態の技術思想を例示的に説明したことに過ぎないものであって、本発明の一実施形態が属する技術分野で通常の知識を有する者であれば、本発明の一実施形態の本質的な特性から逸脱しない範囲で第２有線転送率変換部４５０に含まれる構成要素に対して多様に修正及び変形して適用可能である。第２有線低転送率有線モジュール１０８０は、第２波長分割多重化部４１０から低転送率の第４有線サミング信号を受信する。ここで、第２有線高転送率光モジュール１０６０は高転送率で受信される第４有線サミング信号を受信する。第２有線高転送率クロック再生部１０７０は、第４有線サミング信号を異なる波長に変換して出力する。有線サミング信号分解部１０９２は、第４有線サミング信号を分解した第４有線信号'を生成する。第２有線低転送率クロック再生部１０９０は、第４有線信号'を異なる波長に変換する。第２有線高転送率光モジュール１０６０は、第４有線信号'を低転送率で出力する。ここで、第２有線高転送率光モジュール１０６０がＭ個の場合、第２有線低転送率有線モジュール１０８０はＭの整数倍であるＮ個でありうる。
【００８２】
図１１は、本実施形態に従う無線光線路共有方法を説明するためのフローチャートである。
【００８３】
集中化装置２１０は、無線ドナーユニットグループ１１０から入力される多チャンネルの光信号をサミングしたサミング信号を生成する（Ｓ１１１０）。ステップＳ１１１０で、集中化装置２１０は無線ドナーユニットグループ１１０から入力される光信号である第１無線光信号をサミングした第１無線サミング信号を生成する。また、ステップＳ１１１０で、集中化装置２１０は低転送率で受信される第１無線光信号を受信し、第１無線光信号を異なる波長に変換して出力する。集中化装置２１０は、第１無線光信号をサミングした第１無線サミング信号を生成した後、第１無線サミング信号を異なる波長に変換する。集中化装置２１０は、第１無線サミング信号を高転送率で出力する。
【００８４】
集中化装置２１０は、無線ドナーユニットグループ１１０から入力される光信号を異なる波長に変換した無線波長変換信号を出力する（Ｓ１１２０）。ステップＳ１１２０で、集中化装置２１０は、第１無線光信号の波長を異なる波長に変換した無線波長変換信号を出力する。この際、集中化装置２１０は無線ドナーユニットグループ１１０から第１無線光信号を受信する。集中化装置２１０は、第１無線光信号を波長変換した無線波長変換信号である第３無線光信号を出力し、第３無線光信号を波長分割多重化のためのモジュールに転送する。
【００８５】
集中化装置２１０はサミング信号及び無線波長変換信号を波長単位で多重化し、共有光線路により相互連結された分散装置２２０にサミング信号及び無線波長変換信号が分配されるようにする（Ｓ１１３０）。ステップＳ１１３０で、集中化装置２１０は備えられた光スイッチを用いてＮ個の共有光線路にサミング信号及び無線波長変換信号が分配されるようにスイッチングする。また、ステップＳ１１３０で集中化装置２１０は第１無線サミング信号のうち、高密度光信号を波長単位で多重化した第２サミング信号を生成する。集中化装置２１０は、第２サミング信号のうち、低密度光信号を波長単位で多重化した第２'サミング信号を生成し、第２'サミング信号が共有光線路に分配されるようにする。ここで、高密度光信号とは波長間隔の狭い光信号をいい、低密度光信号とは波長間隔の広い光信号をいう。
【００８６】
分散装置２２０は、集中化装置２１０から共有光線路により相互連結された集中化装置２１０から受信されたサミング信号及び無線波長変換信号を波長単位で逆多重化する（Ｓ１１４０）。ステップＳ１１４０で、分散装置２２０は複数個の分散装置である第１分散装置２２２、第２分散装置２２４、及び第Ｎ分散装置２２６を含んだグループ概念である。また、ステップＳ１１４０で、分散装置２２０は共有光線路から分配された第２'サミング信号のうち、低密度光信号を波長単位で逆多重化した第３サミング信号を生成する。分散装置２２０は、第３サミング信号のうち、高密度光信号を波長単位で逆多重化した第４無線サミング信号を生成する。
【００８７】
分散装置２２０は、サミング信号を分解した光信号を無線リモートユニットグループ１３０に転送する（Ｓ１１５０）。ステップＳ１１５０で、分散装置２２０は集中化装置２１０から受信されたサミング信号である第２'サミング信号を分解した光信号である第２無線光信号を無線リモートユニットグループ１３０に転送する。また、ステップＳ１１５０で、分散装置２２０は高転送率で受信される第４無線サミング信号を受信し、第４無線サミング信号を異なる波長に変換して出力する。分散装置２２０は、第４無線サミング信号を分解した第２無線光信号を生成し、第２無線光信号を異なる波長に変換して低転送率で出力する。
【００８８】
分散装置２２０は、無線波長変換信号を異なる波長に変換した光信号を無線リモートユニットグループ１３０に転送する（Ｓ１１６０）。また、ステップＳ１１６０で分散装置２２０は無線波長変換信号の波長を異なる波長に変換して第２無線光信号に出力する。この際、分散装置２２０は波長分解多重化部から第４無線光信号を受信する。分散装置２２０は、第４無線光信号を波長変換して第２無線光信号を出力する。分散装置２２０は、無線リモートユニットグループ１３０に第２無線光信号を転送する。
【００８９】
図１１では、ステップＳ１１１０からステップＳ１１６０を順次に実行することと記載しているが、これは本実施形態の技術思想を例示的に説明したことに過ぎないものであって、本実施形態が属する技術分野で通常の知識を有する者であれば、本実施形態の本質的な特性から逸脱しない範囲で図１１に記載された順序を変更して実行するか、ステップＳ１１１０からステップＳ１１６０のうちの１つ以上のステップを並列的に実行することで、多様に修正及び変形して適用可能であるので、図１１は時系列的な順序に限定されるものではない。
【００９０】
前述したように、図１１に記載された本実施形態に従う光線路共有方法は、プログラムで具現され、コンピュータにより読取できる記録媒体に記録できる。本実施形態に従う光線路共有方法を具現するためのプログラムが記録され、コンピュータにより読取できる記録媒体は、コンピュータシステムにより読取できるデータが格納される全ての種類の記録装置を含む。このようなコンピュータにより読取できる記録媒体の例には、ＲＯＭ、ＲＡＭ、ＣＤ−ＲＯＭ、磁気テープ、フロッピー（登録商標）ディスク、光データ格納装置などがあり、またキャリアウェーブ（例えば、インターネットを通じての転送）の形態に具現されるものも含む。また、コンピュータにより読取できる記録媒体は、ネットワークにより連結されたコンピュータシステムに分散されて、分散方式によりコンピュータにより読取できるコードが格納され実行されることもできる。また、本実施形態を具現するための機能的な（Functional）プログラム、コード、及びコードセグメントなどは本実施形態が属する技術分野のプログラマーにより容易に推論できる。
【００９１】
図１２は、本実施形態に従う有線光線路共有方法を説明するためのフローチャートである。
【００９２】
集中化装置２１０は、有線ドナーユニットグループ１１２から入力される有線信号をサミングした有線サミング信号を生成する（Ｓ１２１０）。ステップＳ１２１０で、集中化装置２１０は有線ドナーユニットグループ１１２から入力される有線信号である第１有線信号をサミングした第１有線サミング信号を生成する。また、ステップＳ１２１０で、集中化装置２１０は低転送率で受信される第１有線信号を受信し、第１有線信号を異なる波長に変換して出力する。集中化装置２１０は、第１有線信号をサミングした第１有線サミング信号を生成した後、第１有線サミング信号を異なる波長に変換する。集中化装置２１０は、第１有線サミング信号を高転送率で出力する。
【００９３】
集中化装置２１０は、サミング信号及び有線波長変換信号を波長単位で多重化し、共有光線路により相互連結された分散装置２２０にサミング信号及び有線波長変換信号が分配されるようにする（Ｓ１２３０）。ステップＳ１２３０で、集中化装置２１０は備えられた光ディバイダーを用いてＮ個の共有光線路にサミング信号及び波長変換信号が分配されるようにする。また、ステップＳ１２３０で集中化装置２１０は高密度波長分割多重化部５２０で光信号を高密度波長に多重化した第２サミング信号を生成する。集中化装置２１０は、第２サミング信号と光信号を低密度波長に多重化した第２'サミング信号を生成し、第２'サミング信号が共有光線路に分配されるようにする。ここで、高密度波長とは波長間隔の狭い波長をいい、低密度波長とは波長間隔の広い波長をいう。
【００９４】
分散装置２２０は、集中化装置２１０から共有光線路により相互連結された集中化装置２１０から受信されたサミング信号及び有線波長変換信号のうち、いずれか１つの信号を波長単位で逆多重化する（Ｓ１２４０）。ステップＳ１２４０で、分散装置２２０は複数個の分散装置である第１分散装置２２２、第２分散装置２２４、及び第Ｎ分散装置２２６を含んだグループ概念である。また、ステップＳ１２４０で、分散装置２２０は共有光線路から分配された第２'サミング信号のうち、低密度光信号を波長単位で逆多重化した第３サミング信号を生成する。分散装置２２０は、第３サミング信号のうち、高密度光信号を波長単位で逆多重化した第４有線サミング信号を生成する。
【００９５】
分散装置２２０は、サミング信号を分解した有線信号を有線リモートユニットグループ１３２に転送する（Ｓ１２５０）。ステップＳ１２５０で、分散装置２２０は集中化装置２１０から受信されたサミング信号である第２'サミング信号を分解した光信号である第２有線信号を有線リモートユニットグループ１３２に転送する。また、ステップＳ１２５０で、分散装置２２０は高転送率で受信される第４有線サミング信号を受信し、第４有線サミング信号を異なる波長に変換して出力する。分散装置２２０は、第４有線サミング信号を分解した第２有線信号を生成し、第２有線信号を異なる波長に変換して低転送率で出力する。
【００９６】
分散装置２２０は、有線波長変換信号を異なる波長に変換した有線信号を有線リモートユニットグループ１３２に転送する（Ｓ１２６０）。ステップＳ１２６０で、分散装置２２０は受信された波長変換信号の波長を異なる波長に変換して第２有線信号に出力する。この際、分散装置２２０は波長分解多重化部から第４有線信号を波長分割多重化するモジュールから受信し、第４有線信号を波長変換して第２有線信号を出力する。分散装置２２０は、有線リモートユニットグループ１３２に第２有線信号を転送する。
【００９７】
図１２では、ステップＳ１２１０からステップＳ１２６０を順次に実行することと記載しているが、これは本実施形態の技術思想を例示的に説明したことに過ぎないものであって、本実施形態が属する技術分野で通常の知識を有する者であれば、本実施形態の本質的な特性から逸脱しない範囲で図１２に記載された順序を変更して実行するか、ステップＳ１２１０からステップＳ１２６０のうちの１つ以上のステップを並列的に実行することで、多様に修正及び変形して適用可能であるので、図１２は時系列的な順序に限定されるものではない。
【００９８】
前述したように、図１２に記載された本実施形態に従う光線路共有方法はプログラムで具現され、コンピュータにより読取できる記録媒体に記録できる。本実施形態に従う光線路共有方法を具現するためのプログラムが記録され、コンピュータにより読取できる記録媒体は、コンピュータシステムにより読取できるデータが格納される全ての種類の記録装置を含む。このようなコンピュータにより読取できる記録媒体の例には、ＲＯＭ、ＲＡＭ、ＣＤ−ＲＯＭ、磁気テープ、フロッピー（登録商標）ディスク、光データ格納装置などがあり、またキャリアウェーブ（例えば、インターネットを通じての転送）の形態に具現されるものも含む。また、コンピュータにより読取できる記録媒体はネットワークにより連結されたコンピュータシステムに分散されて、分散方式でコンピュータにより読取できるコードが格納され実行されることもできる。また、本実施形態を具現するための機能的な（Functional）プログラム、コード、及びコードセグメントなどは、本実施形態が属する技術分野のプログラマーにより容易に推論できる。
【００９９】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるものではない。本発明の保護範囲は請求範囲により解釈されなければならず、それと同等な範囲内にある全ての技術思想は本発明の権利範囲に含まれるものと解釈されるべきである。
【０１００】
本特許出願は、２０１１年０９月２６日付で韓国に出願した特許出願番号第１０−２０１１−００９６８６７号、２０１２年０７月２５日付で韓国に出願した特許出願番号第１０−２０１２−００８１０４３号に対し、米国特許法１１９（ａ）条（３５Ｕ．Ｓ．Ｃ§１１９（ａ））により優先権を主張すれば、その全ての内容は参考文献として本特許出願に併合される。併せて、本特許出願は、米国以外の国家に対しても上記と同一な理由により優先権を主張すれば、その全ての内容は参考文献として本特許出願に併合される。
【符号の説明】
【０１０１】
１１０    無線ドナーユニットグループ
１１２    有線ドナーユニットグループ
１２０    光線路共有装置
１３０    無線リモートユニットグループ
１３２    有線リモートユニットグループ
２１０    集中化装置
２２０    分散装置
【図１】
0006012738.tif 000002
【図２】
0006012738.tif 000003
【図３】
0006012738.tif 000004
【図４】
0006012738.tif 000005
【図５】
0006012738.tif 000006
【図６】
0006012738.tif 000007
【図７】
0006012738.tif 000008
【図８】
0006012738.tif 000009
【図９】
0006012738.tif 000010
【図１０】
0006012738.tif 000011
【図１１】
0006012738.tif 000012
【図１２】
0006012738.tif 000013